(57)【特許請求の範囲】
【請求項１】
キャビネット(２)内に、画像を表示する表示パネル(３)と、音声を出力するスピーカボックス(５)と、発熱体である基板(８)を収納し、
スピーカボックス(５)は、表示パネル(３)の背面に、且つ基板(８)(82)の熱移行路から外れるように基板(８)(82)間に配置され、
基板(８)(82)からの放熱の移行路は、前記スピーカボックス(５)に阻害されない
ことを特徴とするテレビジョン受像機。
【請求項２】
スピーカボックス(５)は低域音声出力用であって、キャビネット(２)の前面には、高中域出力用のスピーカ(６)(６)が設けられている、請求項１に記載のテレビジョン受像機。
【請求項３】
基板(８)は表示パネル(３)に対向して、略平行に配備された、請求項１又は２に記載のテレビジョン受像機。
【請求項４】
表示パネル(３)は、液晶パネルである、請求項１乃至３の何れかに記載のテレビジョン受像機。
【発明の詳細な説明】
【技術分野】
【０００１】
本発明は、スピーカ装置を具えたテレビジョン受像機に関する。
【背景技術】
【０００２】
従前から、スピーカ装置を具えたテレビジョン受像機が周知である。出願人も図５に開示するテレビジョン受像機(１)を提案している(特許文献１参照)。これは、薄型の液晶パネルを具えたテレビジョン受像機(１)に関し、キャビネット(２)の背面に設けた突部(９)の両側面に筒状のスピーカ装置(90)(90)を設ける。低域、中域、高域の全ての音がスピーカ装置(90)(90)の上端又は下端から出力される。
【０００３】
【特許文献１】特開２００７−２３５２８３号公報
【発明の開示】
【発明が解決しようとする課題】
【０００４】
斯種テレビジョン受像機は、一層の薄型化が求められており、図５に示すテレビジョン受像機(１)では、突部(９)の分だけ厚みが増す。従って、キャビネット(２)内にスピーカ装置(90)を収納すれば、薄型化に寄与することができる。しかし、スピーカ装置(90)を薄くすれば、十分な音質、音量を確保することができない。
また、キャビネット(２)内には電源用基板や液晶パネルのバックライトのインバータ回路基板が収納されており、これらの基板から発せられる熱で、該基板自体、液晶パネル及びスピーカ装置(90)が熱損傷を受ける虞れがある。特に、スピーカ装置(90)が大きく、キャビネット(２)内の大面積を占めると、キャビネット(２)からの放熱を阻害する要因となる。
また、一般に音は周波数帯の低域では、その波長が長いことにより、指向性は弱く、高音域になるに従って指向性が強くなる。従って、指向性が狭い高中域の音はキャビネット(２)の前に居る視聴者に向けて出力する必要もある。
本発明の目的は、基板、液晶パネル及びスピーカ装置の熱損傷を防止しつつ、装置全体を薄型化することにある。合わせて、視聴者が指向性が狭い音を聴き易くすることも目的とする。
【課題を解決するための手段】
【０００５】
テレビジョン受像機(１)は、キャビネット(２)内に、画像を表示する表示パネル(３)と、音声を出力するスピーカボックス(５)と、発熱体である基板(８)を収納する。スピーカボックス(５)は、表示パネル(３)の背面に、且つ基板(８)(82)の熱移行路から外れるように基板(８)(82)間に配置され、基板(８)(82)からの放熱の移行路は、前記スピーカボックス(５)に阻害されない。
スピーカボックス(５)は低域音声出力用であって、キャビネット(２)の前面には、高中域出力用のスピーカ(６)(６)が設けられている。
【発明の効果】
【０００６】
１．スピーカボックス(５)はキャビネット(２)内に収納されており、テレビジョン受像機全体を薄型化することができる。
キャビネット(２)内の発熱体である回路基板は、スピーカボックス(５)の側方に位置しており、スピーカボックス(５)は、回路基板からの熱の移行路から外れて、回路基板からの放熱を阻害しない。これにより、液晶パネル、基板及びスピーカボックス(５)が熱損傷を受ける虞れを防ぎつつ、スピーカボックス(５)を極力大きくして、高音質、高音量を確保することができる。
２．キャビネット(２)内に収納されたスピーカボックス(５)からは、指向性の弱い低域音声が出力され、キャビネット(２)の前面に設けられたスピーカ(６)(６)からは指向性の鋭い高中域の音声が出力される。これにより、あらゆる帯域の音声を効率よく、視聴者に到達させることができる。
【発明を実施するための最良の形態】
【０００７】
以下、本発明の一実施例を図を用いて、詳述する。
図１は、本例に係わるテレビジョン受像機(１)の斜視図であり、図２は同上の正面図である。以下の記載では、視聴者を向く方向を前方とし、逆向きを後方とする。これは液晶パネルを用いた薄型テレビジョン受像機に関し、キャビネット(２)の下端部であって正面両側に高中域音声用のスピーカ(６)(６)が設けられている。スピーカ(６)(６)は視聴者に対向するから、高中域の音声が視聴者に届き易くなる。
キャビネット(２)は、液晶パネルである表示パネル(３)が嵌まるフレーム(20)に、回路基板が収納されるカバー体(４)を合わせて構成される。カバー体(４)の側面からは、外部入力等の端子群(10)が露出する。
【０００８】
図３は、キャビネット(２)の内部構成を示す背面図であり、図４は、図３の分解斜視図である。説明の便宜上、図３ではカバー体(４)を除去して示す。表示パネル(３)の背面には、互いに略平行な２本の縦バー(75)(75)が取り付けられ、両縦バー(75)(75)に跨って回路支持板(７)が設けられる。回路支持板(７)は鉄等の金属製であって、表示パネル(３)の背面に略平行な第１板材(70)と、該第１板材(70)の右端部から折曲されて後方に延びた第２板材(71)を一体に形成する。該第２板材(71)の外側側面に前記の端子群(10)が取り付けられる。
縦バー(75)(75)の内、左側の縦バー(75)には、低域用のスピーカボックス(５)がゴム片等の緩衝部材(図示せず)を介して取り付けられる。スピーカボックス(５)は、バフレス型の箱体であって、低域音声を出力するウーハースピーカ(50)と、音圧調整用のポート又はダクト(51)を具えた周知の構成である。スピーカボックス(５)を緩衝部材を介して縦バー(75)に取り付けるのは、低音再生時の振動が直接表示パネル(３)や後記の回路基板に伝わらないようにするためである。
本例では、スピーカボックス(５)がキャビネット(２)内に収納されているから、テレビジョン受像機全体の薄型化を達成することができる。
【０００９】
図３に一点鎖線で示すように、第１板材(70)上にてスピーカボックス(５)の側方には、回路基板(８)、具体的には電源用基板(80)と画像処理用基板(81)が設けられている。両基板(80)(81)は表示パネル(３)の背面に対向して略平行に設けられる。また、表示パネル(３)は周知の如く、バックライト(図示せず)により照射されるが、該バックライト用のインバータ回路基板(82)がスピーカボックス(５)の左側方に設けられている。該インバータ回路基板(82)も表示パネル(３)の背面とは略平行に設けられる。
電源用基板(80)、画像処理用基板(81)、インバータ回路基板(82)は、使用時に発熱するが、該熱は上昇して、カバー体(４)の上端部に開設された開口(40)からキャビネット(２)の外部に放出される。スピーカボックス(５)は、基板(80)(81)(82)の側方に配備されているから、基板(80)(81)(82)からの放熱を阻害しない。これにより、液晶パネル、基板及びスピーカボックス(５)が熱損傷を受ける虞れを防いでいる。スピーカボックス(５)の音声は、カバー体(４)に開設された放音孔(41)から出力されるが、前記の如く、スピーカボックス(５)は指向性の弱い低域音声を出力するから、該低域音声はキャビネット(２)の前面に回り込み、キャビネット(２)の前方に位置する視聴者に達する。
【００１０】
本例にあっては、以下の効果がある。
１．スピーカボックス(５)はキャビネット(２)内に収納されており、テレビジョン受像機全体を薄型化することができる。
２．キャビネット(２)内の発熱体である回路基板、即ち、電源用基板(80)、画像処理用基板(81)、インバータ回路基板(82)は、スピーカボックス(５)の側方に位置しており、スピーカボックス(５)は、基板(80)(81)(82)からの熱の移行路から外れて、基板(80)(81)(82)からの放熱を阻害しない。これにより、液晶パネル、基板及びスピーカボックス(５)が熱損傷を受ける虞れを防ぎつつ、スピーカボックス(５)を極力大きくして、高音質、高音量を確保することができる。
３．キャビネット(２)内に収納されたスピーカボックス(５)からは、指向性の広い低域音声が出力され、キャビネット(２)の前面に設けられたスピーカ(６)(６)からは指向性の鋭い高中域の音声が出力される。これにより、あらゆる帯域の音声を効率よく、視聴者に到達させることができる。
【００１１】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【００１２】
【図１】本例に係わるテレビジョン受像機の斜視図である。
【図２】同上の正面図である。
【図３】キャビネットの内部構成を示す背面図である。
【図４】図３の分解斜視図である。
【図５】従来のテレビジョン受像機の斜視図である。
【符号の説明】
【００１３】
(１)  テレビジョン受像機
(２)  キャビネット
(３)  表示パネル
(４)  カバー体
(５)  スピーカボックス
(６)  スピーカ
(８)  回路基板
【図１】
0005260950.tif 000002
【図２】
0005260950.tif 000003
【図３】
0005260950.tif 000004
【図４】
0005260950.tif 000005
【図５】
0005260950.tif 000006